(57)【要約】  加温治療装置（保育器、加温器等）内の患者へのアクセスを可能にする装置及び方法を開示している。一つの例示的な実施例では、装置は、フードの一つ以上の側壁を下げる又は取り外すことなく、加温治療装置内に配置された乳児患者へのアクセスを可能にする、後退可能な頂部を有するフードを有している。
2011502726.tif 000002
【特許請求の範囲】
【請求項１】
支持台と、
前記支持台の一部を覆うフードアセンブリと
を備え、前記フードアセンブリは、後退可能な頂部と、二つ以上の調節可能な側壁と、前記支持台に対して前記頂部を位置決めする手段とを有する、装置。
【請求項２】
前記二つ以上の調節可能な側壁のうちの一つ以上を前記支持台に対して調節する手段をさらに備える、請求項１に記載の装置。
【請求項３】
前記頂部を位置決めする手段は、前記頂部に連結される第１端と前記支持台に連結される第２端とを各々が有する一つ以上のヒンジ部材を備え、
前記ヒンジ部材は、前記頂部が第１位置、第２位置、及び前記第１位置と第２位置の間の第３位置へと回動できるように、前記頂部を前記支持台に回動自在に取り付ける、請求項１に記載の装置。
【請求項４】
前記頂部を位置決めする手段は、
前記支持台に連結され、案内溝とその一端に開口とを形成する第１部材と、
前記頂部に連結される第２部材であって、自身から延在する突起を有することで前記開口を通って前記案内溝に係合する第２部材とを備え、
前記第１部材は、前記支持台に対して回動可能であり、前記突起は、前記案内溝に沿って前記第１部材に対して移動可能であり、
前記突起を前記案内溝に沿って移動させることにより、第１位置、第２位置、及び前記第１位置と第２位置の間の第３位置のうちの任意の位置に前記頂部を位置決めする、請求項１に記載の装置。
【請求項５】
前記第１部材は、前記頂部に連結され、前記第２部材は、前記支持台に連結される、請求項４に記載の装置。
【請求項６】
前記頂部を位置決めする手段は、第１位置、第２位置、及び前記第１位置と第２位置の間の第３位置のうち少なくとも一つの位置に前記頂部を一時的に固定する一つ以上の停止機構を有する、請求項１に記載の装置。
【請求項７】
前記頂部を前記フードアセンブリから取り外す解放機構をさらに備えることにより、前記頂部を前記装置から完全に分離させることができる、請求項１に記載の装置。
【請求項８】
前記調節手段が、前記二つ以上の調節可能な側壁のうちの一つ以上を前記支持台に対して上下動させることにより、第１位置、第２位置、及び前記第１位置と前記第２位置の間の第３位置のうちの一つに前記一つ以上の側壁を位置決めする、請求項２に記載の装置。
【請求項９】
前記調節手段は、
前記二つ以上の調節可能な側壁のうちの一つ以上に連結される一つ以上の案内部材であって、各々が案内溝とその一端に開口とを形成する案内部材と、
前記支持台に連結される一つ以上の突起部材であって、各々が自身から延在する突起を有することで対応する案内溝に案内溝開口を通って係合する突起部材とを備え、
前記案内部材は、案内溝に沿って対応する突起に対して移動可能であり、
案内部材をその案内溝に沿って対応する突起に対して移動させることにより、第１位置、第２位置、及び前記第１位置と前記第２位置の間の第３位置のうちの任意の位置に前記一つ以上の側壁を位置決めする、請求項８に記載の装置。
【請求項１０】
前記調節手段は、前記二つ以上の調節可能な側壁のうちの一つ以上に連結される第１端と前記支持台に連結される第２端とを有するヒンジ部材を備え、
前記ヒンジ部材は、前記一つ以上の側壁が前記支持台に対して第１位置、第２位置、及び前記第１位置と前記第２位置の間の第３位置へと回動できるように、前記一つ以上の側壁を前記支持台に回動自在に取り付ける、請求項２に記載の装置。
【請求項１１】
前記調節手段は、前記二つ以上の調節可能な側壁のうちの一つ以上に連結される第１端と前記支持台に連結される第２端とを有する回転部材を備え、
前記回転部材は、前記一つ以上の側壁が前記支持台に対して第１位置、第２位置、及び前記第１位置と前記第２位置の間の第３位置へと回転できるように、前記一つ以上の側壁を前記支持台に回転自在に取り付ける、請求項２に記載の装置。
【請求項１２】
前記二つ以上の調節可能な側壁の少なくとも一つが前記フードアセンブリから取り外し可能である、請求項１に記載の装置。
【請求項１３】
フードアセンブリにおいて、
後退可能な頂部と、
二つ以上の調節可能な側壁と、
前記後退可能な頂部を前記フードアセンブリに対して位置決めする手段と、
前記二つ以上の調節可能な側壁のうちの一つ以上を調節する手段とを備えるフードアセンブリ。
【請求項１４】
前記頂部を位置決めする手段は、頂部に連結される第１端と前記二つ以上の調節可能な側壁のうちの少なくとも一つに連結される第２端とを有するヒンジ部材を備え、
前記ヒンジ部材は、前記頂部が第１位置、第２位置、及び前記第１位置と前記第２位置の間の第３位置へと回動できるように、前記頂部を前記少なくとも一つの側壁に回動自在に取り付け、
前記少なくとも一つの側壁は、前記ヒンジ部材を連結する剛性部材を備える、請求項１３に記載のフードアセンブリ。
【請求項１５】
前記頂部を位置決めする手段は、
前記二つ以上の調節可能な側壁のうちの少なくとも一つに連結される第１部材であって、案内溝とその一端に開口とを形成する第１部材と、
前記頂部に連結される第２部材であって、自身から延在する突起を有することで前記案内溝に前記開口を通って係合する第２部材とを備え、
前記第１部材は、前記少なくとも一つの側壁に対して回動可能であり、前記突起は、前記第１部材に対して前記案内溝に沿って移動可能であり、
前記少なくとも一つの側壁は、前記第１部材を連結する剛性部材を備え、
前記突起を前記案内溝に沿って移動させることにより、第１位置、第２位置、及び前記第１位置と前記第２位置の間の第３位置のうちの任意の位置に前記頂部を位置決めする、請求項１３に記載のフードアセンブリ。
【請求項１６】
前記第１部材は、前記頂部に連結され、前記第２部材は前記少なくとも一つの側壁に連結される、請求項１５に記載のフードアセンブリ。
【請求項１７】
前記頂部を位置決めする手段は、第１位置、第２位置、及び前記第１位置と前記第２位置の間の第３位置のうちの少なくとも一つに前記頂部を一時的に固定する一つ以上の停止機構を有する、請求項１３に記載のフードアセンブリ。
【請求項１８】
前記フードアセンブリから前記頂部を取り外す解放機構をさらに備えることにより、前記頂部を前記二つ以上の調節可能な側壁のうちの一つ以上から完全に分離させることができる、請求項１３に記載のフードアセンブリ。
【請求項１９】
前記二つ以上の調節可能な側壁のうちの一つ以上を調節する手段は、
前記二つ以上の調節可能な側壁のうちの一つ以上を前記フードアセンブリに回動自在に取り付けることにより、前記一つ以上の側壁を前記フードアセンブリに対して、閉鎖位置、開放位置、及び前記閉鎖位置と前記開放位置との間の位置のうちの任意の位置に回動させる、回動手段、
前記二つ以上の調節可能な側壁のうちの一つ以上を前記フードアセンブリに案内係合により取り付けて前記一つ以上の側壁を前記フードアセンブリに対して上下動させることにより、第１位置、第２位置、及び前記第１位置と前記第２位置の間の第３位置のうちの任意の位置に前記一つ以上の側壁を位置決めする、案内手段、及び
前記二つ以上の調節可能な側壁のうちの一つ以上を前記フードアセンブリに回転可能に取り付けることにより、前記一つ以上の側壁を前記フードアセンブリに対して、第１位置、第２位置、及び前記第１位置と前記第２位置の間の第３位置のうちの任意の位置に回転させる、回転手段、のうちの少なくとも一つを備える、請求項１３に記載のフードアセンブリ。
【請求項２０】
患者のための可動式加温治療装置において、
移送アセンブリと、
前記移送アセンブリに連結され患者を支持する患者支持台と、
前記患者支持台上へ熱を放射する加熱ユニットと、
前記患者支持台上の患者を覆い、後退可能な頂部を有するフードアセンブリと
を備える可動式加温治療装置。
【請求項２１】
前記フードアセンブリが、
少なくとも前壁と、剛性部材を備える後壁と、一つ以上の側壁とを有する複数の壁、
前記頂部を前記剛性部材に連結することで前記頂部を前記患者支持台に対して位置決めする位置決め手段と、
前記複数の壁の少なくとも一つを前記患者支持台に対して調節する一つ以上の調節手段と、
前記頂部及び一つ以上の前記側壁のうちの少なくとも一つを所望位置に一時的に固定する一つ以上のロック機構とをさらに備える、請求項２０に記載の可動式加温治療装置。
【請求項２２】
前記位置決め手段は、
前記頂部が第１位置、第２位置、及び前記第１位置と前記第２位置の間の第３位置のうちの任意の位置へ回動できるように、前記頂部を前記剛性部材に回動自在に取り付けるヒンジ部材、及び
前記頂部を第１位置、第２位置、及び前記第１位置と前記第２位置の間の第３位置のうちの任意の位置へスライドさせるために、前記頂部を前記剛性部材に案内係合により取り付ける案内手段
のうちの少なくとも一つを備える、請求項２１に記載の可動式加温治療装置。
【請求項２３】
前記調節手段は、
前記少なくとも一つの壁を前記患者支持台に回動自在に取り付けることにより、前記少なくとも一つの壁を第１位置、第２位置、及び前記第１位置と前記第２位置の間の第３位置のうちの任意の位置へ回動させる、回動手段、
前記少なくとも一つの壁を前記患者支持台に案内係合により取り付けて前記少なくとも一つの壁を上下動させることにより、第１位置、第２位置、及び前記第１位置と前記第２位置の間の第３位置のうちの任意の位置に前記壁を位置決めする、案内手段、及び
前記少なくとも一つの壁を前記患者支持台に回転可能に取り付けることにより、前記少なくとも一つの壁を第１位置、第２位置、及び前記第１位置と前記第２位置の間の第３位置のうちの任意の位置に回転させる、回転手段
のうちの少なくとも一つを備える、請求項２２に記載の可動式加温治療装置。
【請求項２４】
前記頂部及び前記少なくとも一つの壁は、障害物がない状態で前記患者支持台上の前記患者にアクセスできるように、前記加温治療装置から完全に取り外すことができる、請求項２３に記載の可動式加温治療装置。
【請求項２５】
支持台と、
前記支持台の一部を覆い、調節可能な頂部と二つ以上の調節可能な側壁とを有するフードアセンブリとを備え、
前記調節可能な頂部は、前記調節可能な頂部が前記支持台に対して実質的に平行である第１位置と、前記調節可能な頂部が前記支持台に対して実質的に垂直である第２位置との間で移動するように構成される、加温治療装置。
【請求項２６】
前記調節可能な頂部に連結される第１端と前記支持台に連結される第２端とを各々が有する一つ以上のヒンジ部材をさらに備える、請求項２５に記載の加温治療装置。
【請求項２７】
前記支持台に連結され、案内溝とその一端に開口とを形成する第１部材と、
前記調節可能な頂部に連結される第２部材であって、自身から延在する突起を有することで前記案内溝に前記開口を通って係合する第２部材とをさらに備え、
前記第１部材は、前記支持台に対して回動可能であり、前記突起は、前記第１部材に対して前記案内溝に沿って移動可能である、請求項２５に記載の加温治療装置。
【請求項２８】
患者を支持する患者支持台と、
前記患者支持台上の前記患者を覆い、後退可能な頂部を有するフードアセンブリとを備える、患者のための可動式加温治療装置において、
前記フードアセンブリは、少なくとも前壁と剛性部材を備える後壁とを有する複数の壁と、前記後退可能な頂部を前記剛性後壁部材に連結することで前記後退可能な頂部を前記患者支持台に対して位置決めする位置決め手段とをさらに備え、
前記位置決め手段は、
前記後退可能な頂部が第１位置、第２位置、及び前記第１位置と前記第２位置の間の第３位置のうちの任意の位置へ回動できるように、前記後退可能な頂部を前記剛性後壁部材に回動自在に取り付けるヒンジ部材、及び
前記後退可能な頂部を第１位置、第２位置、及び前記第１位置と前記第２位置の間の第３位置のうちの任意の位置へスライドさせるために、前記後退可能な頂部を前記剛性後壁部材に案内係合により取り付ける案内手段
のうちの少なくとも一つを備える、可動式加温治療装置。
【発明の詳細な説明】
【技術分野】
【０００１】
関連出願の相互参照
本出願は、２００７年１２月４日に出願された米国仮出願第６１／００５，３５６号について優先権を主張し、同仮出願の全内容は、本出願に完全に記載されるように、参照により本出願に組み込まれる。
【０００２】
本発明は、概して、加温治療装置（保育器、加温器等）内の患者へのアクセスを可能にする方法及び装置に関する。とりわけ、本発明は、後退可能なフード部材により加温治療装置内に配置された乳児患者へのアクセスを可能にする方法及び装置に関する。
【背景技術】
【０００３】
従来の加温治療装置は、典型的に、載置台と、載置台を覆って保育室等の制御された環境を作り出す一体型のフード要素とを有する。加温治療装置による処置を受ける患者は、載置台に載置され、それからフード要素によって覆われる。看護人が患者にアクセスするには、典型的にフード要素全体を取り外さなければならないため、患者が周囲環境にさらされる。さらに、いったんフード要素を取り外すと、患者を載置台からの転落による負傷から守るものがない。
【０００４】
これらの欠点に対処するために、いくらかのフード要素にあっては側面壁に開口を設けて構成したことによりフード要素全体を取り外さなくても看護人が開口から手を伸ばし患者にアクセスすることが可能となる。このような構成は従来の設計を改良するものであるが、それでもなお患者へのアクセス性は非常に限られており、（例えば、患者を載置台から移動させる際における）患者への十分なアクセス性を実現するためには、依然としてフード要素全体を取り外すしかない。
【発明の概要】
【発明が解決しようとする課題】
【０００５】
従って、保育装置及びフードアセンブリにあっては、安全な保育環境を提供すると同時に、フードアセンブリ全体を取り外さなくとも妨げのない状態で患者へアクセスできることが望ましい。
【課題を解決するための手段】
【０００６】
本発明の例示的な実施形態は、支持台とフードアセンブリとを備え、該フードアセンブリは、後退可能な頂部と調節可能な一つ以上の側壁と支持台に対して頂部を位置決めする手段とを有する。
【０００７】
別の例示的な実施形態は、後退可能な頂部と調節可能な一つ以上の側壁とを有するフードアセンブリを提供する。フードアセンブリはまた、フードアセンブリに対して後退可能な頂部を位置決めする手段と一つ以上の側壁を調節する手段とを有する。
【０００８】
さらに別の例示的な実施形態は、後退可能な頂部を有する乳児患者用の可動式加温治療装置を有する。加温治療装置はまた、移送アセンブリと、移送アセンブリに連結され患者を支持する患者支持台とを有する。加温治療装置はさらに、患者支持台上へ熱を放射する加熱ユニットと、患者支持台上の患者を覆うフードアセンブリとを有する。
【図面の簡単な説明】
【０００９】
【図１】加温治療装置の第１の例示的な実施形態の斜視図である。
【図２】図１の加温治療装置の一部開放状態を示す上方斜視図である。
【図３】加温治療装置の第２の例示的な実施形態の斜視図である。
【図４】図３の加温治療装置の一部開放状態を示す斜視図である。
【図５】図３の加温治療装置の一部開放状態を示す斜視図である。
【図６】図５に示す加温治療装置の上方斜視図である。
【図７】図３の加温治療装置の一部開放状態を示す斜視図である。
【図８】図３の加温治療装置の側面図である。
【図９】図３の加温治療装置の正面図である。
【図１０】加温治療装置の第３の例示的な実施形態の斜視図である。
【図１１】図１０の加温治療装置の一部開放状態を示す斜視図である。
【図１２】図１０の加温治療装置の一部開放状態を示す斜視図である。
【図１３】図１０の加温治療装置の一部開放状態を示す斜視図である。
【図１４】図１０の加温治療装置の開放状態を示す斜視図である。
【図１５】図１０の加温治療装置の側面図である。
【図１６】図１０の加温治療装置の正面図である。
【図１７】加温治療装置の第４の例示的な実施形態の側面図である。
【図１８】図１７の加温治療装置の一部開放状態を示す斜視図である。
【図１９】図１７の加温治療装置の一部開放状態を示す斜視図である。
【発明を実施するための形態】
【００１０】
本発明は、後退可能な頂部と調節可能な一つ以上の側壁とを有するフードアセンブリを有する、加温治療装置（保育器、輻射加温器等）に関する。
【００１１】
図１及び図２は、加温治療装置１０の第１の例示的な実施形態を示す。加温治療装置１０は、輻射加熱器２０と移送アセンブリ３０と患者支持台４０とフードアセンブリ４５とを有する。輻射加熱器２０は、赤外線等の、当該技術分野において公知のいかなる輻射熱源を備えてもよく、患者支持台４０上の患者に（好ましくは制御された方法で）熱を放射する。移送アセンブリ３０は、加温治療装置１０を補助的に支持すると共に同装置に可動性を与え、また、他の治療装置（図示せず）への接続部を有してもよい。患者支持台４０は、加温治療を受ける患者、典型的には乳児、を支持するように構成される。患者支持台４０は、マットレストレイ１２及び同トレイ上に載置されるマットレス１１を有する。
【００１２】
フードアセンブリ４５は、後退可能な頂部４６と調節可能な一つ以上の側壁４８とを有してもよい。図示されるように、頂部４６は、一つ以上のヒンジ部材４７を中心に回動するように構成される。ヒンジ部材４７は、患者支持台４０に接続される第１部材５０と頂部４６に接続される第２部材５２とを有する。第１部材５０及び第２部材５２は、ピン、ピアノヒンジその他部材等のヒンジ５４によって接続され、これにより第２部材５２は一軸線を中心に第１部材５０に対して回転可能となる。
【００１３】
図１及び図２に見られるように、ヒンジ５４は、患者支持台４０の上面と頂部４６の下面との間に間隔をあけて配置されるのが好ましい。あるいは、ヒンジ５４は、患者支持台４０に近接して配置しても、頂部４６に近接して配置してもよい。第１部材５０及び第２部材５２の長さは、ヒンジ５４の位置に応じて変わる。加温治療装置１０の形態によって、ヒンジ５４の位置を頂部４６又は患者支持台４０のどちらかにより近づけることが望ましい。例えば、輻射加熱器２０が患者支持台４０から後方に離間される形態において、又は輻射加熱器２０の高さがそれほど高くない場合、開放位置における頂部４６の高さを出来る限り低くするようにヒンジ５４を患者支持台４０により近づけて配置することが望ましい。そうすることで、開放状態において頂部部材４６は患者支持台４０から間隔を置くため、輻射加熱器２０と患者支持台４０との間の経路は頂部４６によって妨げられない。この間隔は、第２部材５２を第１部材５０よりも長くしてヒンジ５４を患者支持台４０に近接させることにより設けられる。反対に、横方向の間隔が問題となる場合、又は、輻射加熱器２０がヒンジ部材４７から離して配置される場合、第１部材５０を第２部材５２より長くして頂部４６が開放時に患者支持台４０から離間しないように、ヒンジ５４を頂部４６により近づけて配置することが望ましい。
【００１４】
ヒンジ部材４７を利用することにより、頂部４６を、第１の開放位置（図２に示す）、第２の閉鎖位置（図１に示す）、又はこれらの間の適当な位置のうちの任意の位置に位置決めすることができる。当業者により認められるように、（いずれの側壁４８も動かさずに）フードアセンブリ４５の頂部４６を後方へ後退させることができるため、看護人による支持台４０上の患者へのアクセス性が大幅に向上する。また、頂部４６の開放時に一つ以上の側壁４８を直立状態で保つことができることにより、患者の安全性及び快適性も保たれる。
【００１５】
フードアセンブリ４５はまた、患者支持台４０に対して独立して調節されるように構成される一つ以上の側壁４８を有してもよい。これらの側壁４８を調節する手段は、一つ以上の、側壁４８を上下動させるスライド機構（例えば、案内溝及び相補的な突起）、側壁４８を適切な位置に枢支する回動機構（例えば、ヒンジ部材）、側壁４８を適切な位置に回転させる回転機構（例えば、回転部材）、四節リンク等のリンク機構、及び／又は側壁４８を所望の位置に移動／調節するその他の機構を有してもよい。
【００１６】
例示的な一実施形態において、一つ以上の側壁４８は、側壁４８を変位させるスライド機構（図示せず）を備えてもよい。このスライド機構は、側壁４８及び／又は支持台４０の少なくとも一つに連結される一つ以上の案内部材を有してもよい。好適には、案内部材は、案内溝とその一端に開口とを有する。さらに、自身から延在する突起を各々が有する一つ以上突起部材を、案内溝の開口を通って対応する案内溝に係合するように設けてもよい。これらの突起部材を患者支持台４０及び／又は側壁４８に連結し、対向する構造に案内溝を設けてもよい。
【００１７】
上述のスライド機構を利用する場合、（例えば、側壁４８に連結される）突起部材を（支持台４０又は他の側壁４８に連結される）対応する案内部材内でスライドさせることにより、側壁４８を所望の位置に上下動させることができる。また、案内溝を側壁４８に連結し、突起部材を支持台４０（又は他の側壁４８）に連結してもよい。一つ以上のこれらのスライド機構を有することにより、側壁４８を（まとめて又は個別に）、第１位置（図２に示す開放位置等）、第２位置（図１に示す閉鎖位置等）、又は第１位置と第２位置の間の第３位置のうちのいずれの位置にも導くことができる。
【００１８】
別の例示的な実施形態において、一つ以上の側壁４８は、該側壁４８を位置決めする回動機構を有してもよい。該回動機構は、その一端が側壁４８に連結され、他端が患者支持台４０（又は他の側壁４８）に連結される一つ以上のヒンジ部材（図示せず）を有してもよく、これにより、側壁４８は患者支持台４０に枢着される。これを用いると、ヒンジ部材によって連結される側壁４８は、第１位置（図２に示す開放位置等）、第２位置（図１に示す閉鎖位置等）、又は第１位置と第２位置の間の第３位置のうちのいずれの位置にも回動自在となる。
【００１９】
さらに別の例示的な実施形態において、一つ以上の側壁４８は、該側壁４８を位置決めする回転機構を有してもよい。この回転機構は、例えば側壁の下方外側角部において側壁４８に連結される第１の端と、患者支持台４０（又は他の側壁４８）に連結される第２の端とを有する回転部材を備えてもよく、これにより、側壁４８は支持台４０（又は他の側壁４８）に回転可能に取り付けられる。これを用いると、回転部材を介して患者支持台４０に連結される側壁４８は、第１位置（図２に示す開放位置等）、第２位置（図１に示す閉鎖位置等）、又は第１位置と第２位置の間の第３位置のうちのいずれの位置にも回転自在となる。
【００２０】
フードアセンブリ４５は、頂部４６及び／又は一つ以上の側壁４８を所望位置に一時的に固定する、一つ以上の停止機構を随意に有してもよい。これら停止機構の各々は、頂部４６及び／又は側壁４８について用いられる位置決め機構（例えばヒンジ部材、スライド機構等）の一部であっても、独立した構成要素であってもよい。一つ以上の解放機構（図示せず）を有してもよく、これにより、頂部４６及び／又は任意の側壁４８をフードアセンブリ４５から完全に取り外すことが可能となる。
【００２１】
図２は、フードアセンブリ４５の頂部４６が第１の開放位置にある加温治療装置１０を示す。この開放位置において、頂部は、ヒンジ部材４７によって患者支持台４０から離れる方向に約９０°回転させられる。上述のように、頂部４６を、閉鎖位置と開放位置との間において任意の角度で位置決めすることができ、随意に設けられる停止機構によって当該位置に保持することができる。さらに、いくつかの形態において、頂部部材４６の移動範囲は、９０°より大きくても小さくてもよい。頂部４６は、図示される一つ以上のヒンジ部材４７及び／又は（以下でさらに説明される）一つ以上のスライド機構を用いて位置決めすることができる。
【００２２】
また図２は、第１の開放位置に位置付けられた側壁４８の一つを示す。同図において、開放状態の側壁４８は、スライド機構によって、例えば、患者支持台４０の平面の真下に位置付けてもよい。その結果、加温治療装置１０の上方又は側方から支持台４０上の患者に容易にアクセスすることができる。
【００２３】
次に図３乃至図９を参照すると、本発明の第２の例示的な実施形態による加温治療装置１００が示される。図３乃至図９の各々は、様々な状態における加温治療装置１００の様々な要素をさらに示す。
【００２４】
加温治療装置１００は、輻射加熱器１２０と移送アセンブリ１３０と患者支持台１４０とフードアセンブリ１４５とを有する。輻射加熱器１２０は、当該技術分野で公知のいかなる輻射熱源を備えてもよく、患者支持台１４０上の患者に熱を制御して放射する。移送アセンブリ１３０は、加温治療装置１００を補助的に支持すると共に同装置に可動性を与え、また、他の治療装置（図示せず）への接続部を有してもよい。患者支持台１４０は、処置を受ける乳児患者を支持するように構成され、マットレストレイ１１２及び同トレイ上に載置されるマットレス１１１を有してもよい。
【００２５】
例示的なフードアセンブリ１４５は、後退可能な頂部１４６と、前側壁１４８’と二つの横側壁１４８’’と後側壁１４８’’’とを有する一つ以上の調節可能な側壁１４８とを備えてもよい。フードアセンブリ１４５は、個々の実施例に応じてより多くの側壁１４８又はより少ない側壁１４８を有してもよいと解されるべきである。さらに、各側壁１４８は（前側壁、横側壁及び後側壁のいずれであっても）、それ自体が一つ以上のセグメントに分割されるものであってもよく、それにより患者支持台１４０内に部分的にアクセスすることが可能となる。図示されるように、後側壁１４８’’’は、剛性部材１５０によって隔てられる二つのパネルを有し、付加的な支持及び外部装置への接続部を提供する。
【００２６】
フードアセンブリ１４５の頂部１４６は、頂部１４６を開閉可能に枢支するヒンジ部材１４７（図４参照）と、頂部１４６を後退させて位置付けるスライド機構とを介して、後側壁１４８’’’に連結される。図示されるスライド機構は、一つ以上の突起部材１５１と一つ以上の対応する案内部材１５２とを有する。一つ以上の案内部材１５２は、好適には、トラック又は案内溝と、その一端に開口とを形成する。これらの案内部材１５２は、図示されるように後側壁１４８’’’の剛性部材もしくは患者支持台１４０に連結してもよい（又は場合によっては、頂部１４６もしくは側壁１４８に連結してもよい）。案内部材１５２を補完する一つ以上の突起部材１５１は、各々が自身から延びる突起を有し、対応する案内部材１５２に係合する。突起部材１５１は、頂部１４６、側壁１４８及び／又は（案内部材１５２の位置に応じて）患者支持台１４０に連結してもよい。
【００２７】
剛性部材１５０は、略垂直方向に構成され、患者支持台１４０の中心線に沿って後側壁１４８’’’に近接させて配設される。剛性部材１５０の一部は、後側壁１４８’’’の外表面から外向きに延在し、案内部材１５２を有する。案内部材１５２は、トラック又はレールであってもよく、頂部１４６に接続される嵌合突起部材１５１に係合するように構成される。突起部材１５１は、頂部１４６を支持し、剛性部材１５０の案内部材に沿って調節可能である。頂部１４６は、突起部１５１にヒンジ結合しても、頂部１４６に固定してもよい。頂部１４６が突起部材１５１に固定される実施形態において、案内部材１５２を湾曲させてもよいし、又は突起部材１５１を案内部材１５２に対して回動させながら該案内部材１５２内をスライドさせてもよく、そうすることで、（例えば、突起部材１５１を案内部材１５２に沿ってスライドさせることにより）頂部１４６を開きながら略垂直状態へと容易に移行させることができる。
【００２８】
頂部１４６の後退及び位置決めは、一つ以上の突起部材１５１を対応する一つ以上の案内部材１５２に係合させた上で突起部材１５１を案内部材１５２の案内溝に沿ってスライドさせることにより行うことができる。このように、突起部材１５１を案内部材１５２に沿って所望位置に到達するまでスライドさせるだけで、頂部１４６を、第２の閉鎖位置（図３に示す）から第１の開放位置（図５乃至図７に示す）まで、又は第１位置と第２位置の間の第３位置まで、後退させることができる。
【００２９】
フードアセンブリ１４５はまた、各々が患者支持台１４０に対して別個に調節されるように構成される、一つ以上の側壁１４８を有してもよい。これらの側壁１４８を調節する手段は、一つ以上の、スライド機構（例えば、案内溝及び相補的な突起を有するもの）、回動機構（例えば、ヒンジ部材）、回転機構（例えば、回転部材）、四節リンク等のリンク機構、及び／又は側壁１４８を所望位置に移動／調節するその他の機構を有してもよい。
【００３０】
側壁１４８を調節するスライド機構（図示せず）は、各々が案内溝とその一端に開口とを形成する一つ以上の案内部材を有してもよく、該案内部材は、側壁１４８の少なくとも一つ及び／又は支持台１４０に連結される。さらに、自身から延在する突起を各々が有する一つ以上の突起部材を、案内溝開口を通って案内溝に係合するように設けてもよい。これらの突起部材は、患者支持台１４０及び／又は側壁１４８に連結することができる。該機構を用いた場合、（例えば、側壁１４８に連結される）突起部材を（例えば、支持台１４０又は他の側壁１４８に連結される）対応する案内部材に係合した上で突起部材を案内部材の案内溝に沿って所望位置まで上方又は下方へスライドさせることにより、側壁１４８を位置決めすることができる。
【００３１】
他の例示的な実施形態において、一つ以上の側壁１４８は、上述したように、その一端を側壁１４８に連結され且つ他端を患者支持台１４０（又は他の側壁１４８）に連結される一つ以上のヒンジ部材を有することができる、回動機構を備えてもよい。これを用いると、ヒンジ部材によって連結される側壁１４８は、ヒンジ部材を操作するだけで、第１の開放位置（図５に示す）、第２の閉鎖位置（図３に示す）、又は第１位置と第２位置の間の任意の位置のうちのいずれの位置にも回動自在となる。
【００３２】
さらに別の例示的な実施形態において、一つ以上の側壁１４８は、回転機構を備えてもよい。この回転機構は、側壁１４８に連結される第１の端と患者支持台１４０（又は他の側壁１４８）に連結される第２の端とを有する回転部材を備えてもよい。これを用いると、回転部材によって連結される側壁１４８は、第１の開放位置、第２の閉鎖位置、及び第１位置と第２位置の間の第３位置のうちのいずれの位置にも回転自在となる。
【００３３】
上述のフードアセンブリ１４５は、また、一時的に頂部１４６及び／又は一つ以上の側壁１４８を所望位置に固定する一つ以上の停止機構（図示せず）を随意に有してもよい。これらの停止機構の各々は、頂部１４６及び／又は側壁１４８を位置決めするために用いられる機構（例えば、ヒンジ部材、スライド機構等）の一部であっても、ラッチ等の独立した構成要素からなるものであってもよい。さらに、一つ以上の解放機構を有してもよく、これにより頂部１４６及び／又は任意の側壁１４８をフードアセンブリ１４５から完全に取り外すことが可能となる。
【００３４】
次に図４乃至図７を参照すると、図３に例示される加温治療装置１００のフードアセンブリ１４５の各部が他の様々な配置状態で示されており、これらは例えば、乳児患者の加温治療装置１００内への配置前もしくは配置中、又は乳児患者の取り出し前もしくは取り出し中の状態である。例示されるフードアセンブリ１４５は夫々が堅固なパネルとして構成されるちょうど四つの側壁を有するが、本発明に基づくフードアセンブリは、それ以上又はそれ以下の数の側壁１４８を備えることができ、側壁１４８の各々を、以下に説明するような、個別に位置決めできる複数のセグメントに分割してもよいと理解すべきである。
【００３５】
図４は、フードアセンブリ１４５の頂部１４６を、横側壁１４８’’に対して約４５°回動させた、一部開放状態を示す。また図４では、前側壁１４８’が実質的に支持台１４０の平面下にくるように患者支持台１４０に対して垂直に位置付けられる。上述したように、前側壁１４８’の移動及び位置決めは、スライド機構、回動機構、回転機構、その他当業者に公知の任意の手段によって調節することができる。
【００３６】
図５は、スライド機構によって患者支持台に対して９０°に位置決めされる、開放状態のフードアセンブリ１４５の頂部１４６を示す。即ち、頂部１４６に連結される突起部材１５１は、対応する案内部材１５２に係合され、頂部１４６が後側壁１４８’’’の真後ろの位置にくるまで同案内部材に沿って案内された状態である。頂部１４６の位置決めに関してスライド機構を説明したが、頂部１４６の移動及び位置決めを行うために回動機構、回転機構及び／又はその他当業者に公知の任意の手段を用いてもよい。
【００３７】
また図５においては、左右の側壁１４８’’の双方が、実質的に支持台１４０の平面下に位置付けられるように患者支持台１４０に対して垂直に調節される。後側壁１４８’’’は、図３に示される最初の位置のままである。頂部１４６と同様に、側壁１４８の調節は、スライド機構、回動機構、回転機構その他当業者に公知の任意の手段によって行うことができる。
【００３８】
フードアセンブリ１４５が図５に示すように構成及び調節される場合、患者支持台１４０内に対し左右軸２７０°に渡って障害物がない状態で乳児患者をマットレス１１１上に載置し又はマットレスから取り上げることができる。乳児患者をそのように載置したら（又は取り上げたら）、側壁１４０及び／又は頂部１４６を調節して閉鎖状態（例えば図３）又は一部閉鎖状態（例えば図７）に戻すことができ、乳児患者がマットレス１１１から転落するのを防ぎながら乳児患者への処置及び／又はアクセスを行うことができる。
【００３９】
図６は、図５と同じ配置態様の加温治療装置１００を上方から示す。図６においては、フードアセンブリ１４５の頂部１４６及び側壁１４８が開放位置に位置付けられ、患者支持台１４０の前方及び側方の周囲少なくとも２７０°に渡って障害物がない状態でマットレストレイ１１２及びマットレス１１１の全体が露出される様子がより明確に示される。
【００４０】
図７は、別の配置態様を示し、この態様では、前側壁１４８’及び左右側壁１４８’’が、各側壁の一部のみがマットレストレイ１１２の平面より上にとどまるようにマットレストレイ１１２に対して下方へ移動されている。このような配置態様にすることにより、マットレス１１１上の乳児患者へのアクセスを可能にする一方で、同患者のマットレス１１１からの落下を防ぐことができる。
【００４１】
図８及び図９は夫々、加温治療装置１００の側面図及び正面図である。加温治療装置１００は、輻射加熱器１２０、移送アセンブリ１３０、患者支持台１４０及びフードアセンブリ１４５を有する。
【００４２】
次に図１０乃至図１６を参照すると、本発明の第３の例示的な実施形態による加温治療装置２００が示される。図１０乃至図１４の各図は、例示的な加温治療装置２００を構成要素の配置を様々に変化させて示す。
【００４３】
加温治療装置２００は、輻射加熱器２２０、移送アセンブリ２３０、患者支持台２４０及びフードアセンブリ２４５を有する。移送アセンブリ２３０は、加温治療装置２００を補助的に支持すると共に同装置に可動性を与え、また、他の治療装置（図示せず）への接続部を有してもよい。患者支持台２４０は、処置を受ける乳児患者を支持するように形成され、マットレストレイ２１２及び同トレイ上に載置されるマットレス２１１を有してもよい。
【００４４】
例示的な加温治療装置２００のフードアセンブリ２４５は、後退可能な頂部２４６と一つ以上の調節可能な側壁２４８とを備えてもよい。図示されるように、フードアセンブリは、頂部２４６をヒンジ部材２４７の軸線を中心に回動自在に連結する一つ以上のヒンジ部材２４７を備える。さらに、頂部２４６を後退させて位置付けるスライド機構を有する。図示されるスライド機構は、一つ以上の突起部材２５１及び一つ以上の対応する案内部材２５２を備える。案内部材２５２は、トラック又は案内溝と、その一端に開口とを形成することが好ましい。これらの案内部材２５２は、図示されるように、後側壁２４８もしくは患者支持台２４０（又は場合によっては頂部２４６）に連結することができる。案内部材２５２を補完する一つ以上の突起部材２５１は、各々が自身から延びる突起を有し、対応する案内部材２５２に案内溝の開口を通って係合する。突起部材２５１は、頂部２４６、側壁２４８及び／又は（案内部材２５２の位置に応じて）患者支持台２４０に連結することができる。
【００４５】
頂部２４６の後退及び位置決めは、突起部材２５１を対応する案内部材２５２に係合させた上で突起部材２５１を案内部材２５２の案内溝に沿ってスライドさせることにより行うことができる。このように、突起部材２５１を案内部材２５２に沿って所望位置までスライドさせるだけで、頂部２４６を、第１の開放位置（図１３に示す）、第２の閉鎖位置（図１０に示す）、又これらの間における任意の第３位置の間で操作することができる。
【００４６】
フードアセンブリ２４５はまた、各々が患者支持台２４０に対して個別に調節されるように構成される一つ以上の側壁２４８を有してもよい。これらの側壁２４８を調節する手段は、一つ以上の、スライド機構（例えば、案内溝及び相補的な突起を備えるもの）、回動機構（例えば、ヒンジ部材）、回転機構（例えば、回転部材）、四節リンク等のリンク機構、及び／又は側壁２４８を所望の位置に移動／調節するその他の機構を有してもよい。
【００４７】
スライド機構は、各々が案内溝とその一端に開口とを形成する一つ以上の案内部材を有してもよく、該案内部材は、側壁２４８の少なくとも一つ及び／又は支持台２４０に連結される。さらに、自身から延在する突起を各々が有する一つ以上の突起部材を、案内溝開口を通って案内溝に係合するように設けてもよい。これらの突起部材は、患者支持台２４０及び／又は側壁２４８に連結することができる。該機構を用いると、（例えば、側壁２４８に連結される）突起部材を（例えば、支持台２４０又は他の側壁２４８に連結される）対応する案内部材に係合させた上で、突起部材を案内部材の案内溝に沿って上下にスライドさせることにより、側壁２４８を所望の位置に位置決めすることができる。
【００４８】
スライド機構２５３は、前側壁２４８’を調節するために設けられ、これにより前側壁２４８’を支持台２４０に対して水平になるように下方にスライドさせて、（例えば、図１１に示すように）前側壁２４８’を支持台２４０の略真下（又は場合によっては、支持台内部）に位置付けることができる。しかしながら、以下に説明するように、前側壁２４８の調節及び／又は位置決めには、他の機構を用いてもよいことを理解すべきである。
【００４９】
また、一つ以上の側壁２４８は、回動機構を備えてもよく、該回動機構は、上述のように、その一端が側壁２４８に連結され且つ他端が患者支持台２４０（又は他の側壁２４８）に連結される一つ以上のヒンジ部材を有してもよい。これを用いると、ヒンジ部材によって連結される側壁２４８は、第１の開放位置、第２の閉鎖位置、及びこれらの間の第３位置のうちのいずれの位置にも回動自在となる。
【００５０】
また、一つ以上の側壁２４８は、回転機構を備えてもよい。この回転機構は、側壁２４８に連結される第１の端と患者支持台２４０（又は他の側壁２４８）に連結される第２の端とを有する回転部材を有してもよい。これを用いると、回転部材によって連結される側壁２４８は、第１の開放位置、第２の閉鎖位置、及びこれらの間の第３位置のうちのいずれの位置にも回転自在となる。
【００５１】
上記のフードアセンブリ２４５はまた、頂部２４６及び／又は一つ以上の側壁２４８を所望位置に一時的に固定するための一つ以上の停止機構（図示せず）を随意に有してもよい。これらの停止機構の各々は、頂部２４６及び側壁２４８を位置決めするために用いられる機構（例えば、ヒンジ部材、スライド機構等）の一部であっても、独立した構成要素からなるものであってもよい。さらに、一つ以上の解放機構を有してもよく、これにより頂部２４６及び／又は任意の側壁２４８をフードアセンブリ２４５から完全に取り外すことが可能となる。
【００５２】
次に図１１乃至図１４を参照すると、図１０に例示される加温治療装置２００のフードアセンブリ２４５の各部が他の様々な配置状態で示されており、これらは例えば、乳児患者の加温治療装置２００内への配置前もしくは配置中、又は乳児患者の取り出し前もしくは取り出し中の状態である。具体的にいうと、図１１乃至図１４は、フードアセンブリ２４５が略閉鎖状態（図１１に示す）から略開放状態（図１４に示す）まで移行する様子を段階的に示す。尚、この略開放状態では、その一部が立ち上がったままである横側壁の一つと最初の状態のままである後側壁とを除くフードアセンブリの各部が開放されている。
【００５３】
図１１は、前側壁２４８’が開放され、患者支持台２４０内に設けられた領域内に位置付けられる様子を示す。上述したように、側壁２４８（前側壁２４８’を含む）の調節及び位置決め手段は、スライド機構に限定されない。それどころか、側壁２４８の調節又は位置決めには、回動機構、回転機構その他当業者に公知の任意の手段を用いることができる。
【００５４】
図１２において、フードアセンブリ２４５の頂部２４６は、左右側壁２４８に対して約４５°に位置付けられた、一部開放状態にあり、さらにスライド機構２５１、２５２によって後側壁２４８の背後領域へと下方にスライドされる。すでに述べたように、頂部２４６の位置決めは、回動方式及び／又はスライド方式に限定されない。それどころか、本発明によれば、頂部２４６の位置決めには、回転機構その他当業者に公知のあらゆる手段等を含む任意の手段を用いることができる。
【００５５】
図１３は、フードアセンブリ２４５の頂部２４６が患者支持台２４０に対して最大の９０°に開放された状態を示す。この態様では、頂部２４６は、（例えば、ヒンジ部材２４７によって）回動され、さらに案内部材２５２に沿ってスライドされることにより、後側壁２４８の背後に完全に位置付けることができる。
【００５６】
図１４は、頂部２４６が第１の開放状態（図１３と同様）にあることに加え、左側壁２４８の全体が実質的にマットレストレイ２１２の平面下に位置付けられる様子を示す。右側壁２４８の一部は、部分的にマットレストレイ２１２の平面下に位置付けられる。後側壁２４８は、元の状態（図１０に示す）のままである。上述したように、左右の側壁２４８の位置決めは、スライド機構、回動機構、回転機構その他当業者に公知の任意の手段によって行うことができる。
【００５７】
フードアセンブリ２４５を図１４に示すように構成及び調節した場合、障害物がない状態で乳児患者をマットレス２１１上に載置し又はマットレスから取り上げることができる。乳児患者をそのように載置したら（又は取り上げたら）、側壁２４８及び／又は頂部２４６を調節して完全閉鎖状態又は一部閉鎖状態（例えば図１０、１２）に戻すことができ、これにより乳児患者のマットレス２１１からの落下を防ぎながら乳児患者への処置及び／又はアクセスを行うことができる。
【００５８】
図１５及び図１６は、夫々、加温治療装置２００の側面図及び正面図である。加温治療装置２００は、輻射加熱器２２０、移送アセンブリ２３０、患者支持台２４０及びフードアセンブリ２４５を有する。
【００５９】
次に図１７乃至図１９を参照すると、更なる実施形態である加温治療装置３１０が示されている。加温治療装置３１０は、処置を受ける乳児患者３０１を支持するための患者支持台３４０と、一つ以上の側壁３４８及び後退可能な頂部３４６を有するフードアセンブリとを有する。さらに以下に説明されるように、後退可能な頂部３４６は、第１の開放位置（図１９）、第２の閉鎖位置（図１７）、又は閉鎖位置と開放位置との間の第３位置（図１８）に位置付けることができる。
【００６０】
頂部３４６は、一つ以上のヒンジ部材３４７を中心に回動自在に構成される。本例示的な実施形態における各ヒンジ部材３４７は、その一端を頂部３４６に連結し、他端を患者支持台３４０に連結してもよく、これにより頂部３４６は患者支持台３４０に回動自在に取り付けられる。また、ヒンジ部材３４７を用いて、頂部３４６を一つ以上の側壁３４８に直接連結してもよい。ヒンジ部材３４７を利用することにより、頂部３４６は、閉鎖位置（図１７に示す）、開放位置（図１９に示す）、又は閉鎖位置と開放位置との間の位置（図１８に示す）のうちの任意の位置に位置決めすることができる。当業者により認められるように、（いずれの側壁３４８も動かすことなく）フードの頂部３４６を後方へ後退させることができるので、看護人による支持台３４０上の患者３０１へのアクセス性が大幅に向上し、側壁３４８によってもたらされる安全性も維持される。
【００６１】
図示されるように、頂部３４６は、一つ以上のヒンジ部材３４７を中心に回動するように構成される。ヒンジ部材３４７は、患者支持台３４０に接続される第１部材３５０と、頂部３４６に接続される第２部材３５２とを有する。第１部材３５０及び第２部材３５２は、ピン、ピアノヒンジその他部材等のヒンジ３５４によって接続され、これにより第２部材３５２は一軸線を中心に第１部材３５０に対して回転可能となる。
【００６２】
ヒンジ３５４は、患者支持台３４０の上面と頂部３４６の下面との間に間隔をあけて配置されるのが好ましい。あるいは図示されてはいないが、ヒンジ３５４は、患者支持台３４０に近接して配置しても、頂部３４６に近接して配置してもよい。第１部材３５０及び第２部材３５２の長さは、ヒンジ３５４の位置に応じて変わる。加温治療装置３１０の形態によって、ヒンジ３５４の位置を頂部３４６又は患者支持台３４０のどちらかにより近づけることが望ましい。例えば、輻射加熱器（図１７乃至図１９に示されない）が患者支持台３４０から後方に離間される形態において、又は輻射加熱器の高さがそれほど高くない場合、開放位置における頂部３４６の高さを出来る限り低くするようにヒンジ３５４を患者支持台３４０により近づけて配置することが望ましい。そうすることで、開放状態において頂部部材３４６は患者支持台３４０から間隔を置くため、輻射加熱器と患者支持台３４０との間の経路が頂部３４６によって妨げられない。この間隔は、第２部材３５２を第１部材３５０よりも長くしてヒンジ３５４を患者支持台３４０に近接させることにより設けられる。反対に、横方向の間隔が問題となる場合、又は、輻射加熱器がヒンジ部材３４７から離して配置される場合、第１部材３５０を第２部材３５２より長くして頂部３４６が開放状態において患者支持台３４０から離間しないように、ヒンジ３５４を頂部３４６により近づけて配置することが望ましい。
【００６３】
本発明を例示的な実施形態によって説明したが、本発明はこれら限定されるものではない。それどころか、添付の特許請求の範囲は、本発明の均等物の範囲から逸脱することなく、当業者が想到し得る本発明の他の変形例及び実施形態を広く含むものとして解釈されるべきである。本明細書は、本明細書に記述された実施形態のあらゆる適応例や変形例を包含することが意図される。
【図１】
2011502726.tif 000003
【図２】
2011502726.tif 000004
【図３】
2011502726.tif 000005
【図４】
2011502726.tif 000006
【図５】
2011502726.tif 000007
【図６】
2011502726.tif 000008
【図７】
2011502726.tif 000009
【図８】
2011502726.tif 000010
【図９】
2011502726.tif 000011
【図１０】
2011502726.tif 000012
【図１１】
2011502726.tif 000013
【図１２】
2011502726.tif 000014
【図１３】
2011502726.tif 000015
【図１４】
2011502726.tif 000016
【図１５】
2011502726.tif 000017
【図１６】
2011502726.tif 000018
【図１７】
2011502726.tif 000019
【図１８】
2011502726.tif 000020
【図１９】
2011502726.tif 000021
【国際調査報告】
2011502726.tif 000022
2011502726.tif 000023